(57)【特許請求の範囲】
【請求項１】
本体と、
前記本体の外側に取り付けられる付加電子ユニットと、
前記付加電子ユニットとの通信のためのケーブルのコネクターが連結される少なくとも一つのポートと、
前記ポートから熱を受け取るよう前記ポートの外表面と接触する少なくとも一つの伝熱部材と、
を備えることを特徴とするテレビ。
【請求項２】
前記ポートの少なくとも一面は伝熱部材に接触していることを特徴とする、請求項１に記載のテレビ。
【請求項３】
前記ポートの外側面に前記伝熱部材が一体に装着されていることを特徴とする、請求項１に記載のテレビ。
【請求項４】
前記伝熱部材は、前記ポートに接触している接触部と、前記接触部から外側方向に延びた延長部と、を有することを特徴とする、請求項１に記載のテレビ。
【請求項５】
前記伝熱部材は、前記ポートが挿入される挿入部と、前記挿入部から外側方向に延びた延長部と、を有することを特徴とする、請求項１に記載のテレビ。
【請求項６】
前記ポートは複数個が設けられ、前記伝熱部材は、前記複数個のポートがそれぞれ挿入される複数個の挿入部を有することを特徴とする、請求項１に記載のテレビ。
【請求項７】
前記複数個の挿入部が一体に形成されることを特徴とする、請求項６に記載のテレビ。
【請求項８】
前記ポートは、その一側が前記本体の外側に露出されるようにして印刷回路基板上に設けられることを特徴とする、請求項１に記載のテレビ。
【請求項９】
前記付加電子ユニットを前記本体に結合させる結合突起をさらに備えることを特徴とする、請求項１に記載のテレビ。
【請求項１０】
前記結合突起は、前記付加電子ユニットに設けられ、且つ前記本体に設けられた貫通孔に結合することを特徴とする、請求項９に記載のテレビ。
【請求項１１】
前記結合突起は、前記付加電子ユニットに結合される結合部材に設けられ、且つ前記本体の一側に設けられた貫通孔に結合することを特徴とする、請求項９に記載のテレビ。
【発明の詳細な説明】
【技術分野】
【０００１】
本発明は、付加電子ユニット及び改善した組立構造を有するテレビに関する。
【背景技術】
【０００２】
一般に、テレビ（Ｔｅｌｅｖｉｓｉｏｎ）は、画像を視聴するための装置であって、ディスプレイ装置の一つである。ディスプレイ装置は、デスクトップコンピュータのモニターの他、ノートパソコン、ＰＤＡなどの携帯用コンピュータや携帯電話端末機などの小型・軽量化したシステムに必須の装置である。
【０００３】
テレビに使用可能なディスプレイ装置には、液晶表示装置（ＬＣＤ:Ｌｉｑｕｉｄ  Ｃｒｙｓｔａｌ  Ｄｉｓｐｌａｙ  Ｄｅｖｉｃｅ）、プラズマ表示装置（ＰＤＰ:Ｐｌａｓａｍａ  Ｄｉｓｐｌａｙ  Ｐａｎｅｌ）、電界放出表示装置（ＦＥＤ:Ｆｉｅｌｄ  Ｅｍｉｓｓｉｏｎ  Ｄｉｓｐｌａｙ）などがある。これらの装置は、陰極線管（ＣＲＴ）に比べて視認性に優れており、同じ映像大きさのＣＲＴに比べて平均消費電力及び発熱量も少ないことから、ディスプレイ装置として脚光を浴びている。
【０００４】
最近では、テレビに付加電子ユニットを取り付ける必要性から、テレビの周辺に付加電子ユニットを位置させる場合がある。特に、スマートテレビの開発に伴い、特定機能を有する付加電子ユニットを旧型テレビに設置して、旧型テレビの機能をアップグレードさせられる付加電子ユニットが開発されてきている。この場合、従来に比べて、テレビの周囲に付加電子ユニットを配置させる必要性が増加する。
【０００５】
従来は、テレビに付加電子ユニットを連結する際に、テレビの周囲の、テーブルのような別途の空間に付加電子ユニットを配置し、該付加電子ユニットとテレビとを連結ケーブルのような別途の装備を用いて連結させてきた。
【０００６】
また、テレビが壁面に設置される場合には、テレビを壁面に支持する固定装置に付加電子ユニットを固定したり、テレビに別途の部品を追加して付加電子ユニットを設置した。
【発明の概要】
【発明が解決しようとする課題】
【０００７】
本発明の一側面は、ポートに伝熱部材を接触させることによってポートの熱をポートの外部に伝達するテレビを提供する。
【０００８】
また、本発明の他の側面は、付加電子ユニットが本体に組み立てられるようにしたテレビを提供する。
【課題を解決するための手段】
【０００９】
本発明の一側面は、本体と、該本体の外側に取り付けられる付加電子ユニットと、該付加電子ユニットとの通信のためのケーブルのコネクターが連結される少なくとも一つのポートと、該ポートに隣接して配置されて、前記ポートから熱が伝達される少なくとも一つの伝熱部材と、を備えるテレビを提供する。
【００１０】
前記ポートの少なくとも一面は伝熱部材と接触してもよい。前記ポートの外側面に前記伝熱部材が一体に装着されてもよい。
【００１１】
前記伝熱部材は、前記ポートに接触する接触部と、該接触部から外側方向に延びた延長部と、を有することができる。前記伝熱部材は、前記ポートが挿入される挿入部と、該挿入部から外側方向に延びた延長部と、を有してもよい。
【００１２】
前記ポートは、複数個が設けられ、前記伝熱部材は、前記複数個のポートがそれぞれ挿入される複数個の挿入部を有してもよい。
【００１３】
前記複数個の挿入部は一体に形成されてもよい。前記ポートは、その一側が前記本体の外側に露出されるようにして印刷回路基板上に設けられてもよい。前記テレビは、前記付加電子ユニットを前記本体に結合させる結合突起をさらに備えてもよい。
【００１４】
前記結合突起は、前記付加電子ユニットに設けられ、前記本体の一側に形成された貫通孔に結合されてもよい。前記結合突起は、前記付加電子ユニットに結合される結合部材に設けられ、前記本体の一側に設けられた貫通孔に結合されてもよい。
【００１５】
本発明の他の側面は、本体と、該本体の後方側に配置される付加電子ユニットと、前記本体の一側に設けられた、信号入出力のための少なくとも一つのポートと、を備え、前記付加電子ユニットは、前記少なくとも一つのポートを通じて前記本体に結合されるテレビを提供する。
【００１６】
前記少なくとも一つのポートは、前記本体の一側に設けられた貫通孔から外側に露出されてもよい。
【００１７】
前記付加電子ユニットと前記本体とを結合させるための少なくとも一つの結合突起を備え、該結合突起は前記本体の一側に設けられた貫通孔に結合されてもよい。前記結合突起は、前記付加電子ユニットに一体に形成されてもよい。前記結合突起は、前記付加電子ユニットに結合される結合部材の一側から延在していてもよい。
【００１８】
前記ポートは、前記本体の内側に配置された印刷回路基板の一側に結合されてもよい。前記テレビは、前記ポートの少なくとも一側に接触して、前記ポートで発生した熱が伝達される少なくとも一つの伝熱部材をさらに備えてもよい。
【発明の効果】
【００１９】
本発明の一側面によれば、印刷回路基板に配置された集積回路（ＩＣ）の電子素子の熱を放出することができ、ポートを冷却して熱によるポートの損傷を防止することができ、ポートで発生した熱が印刷回路基板に伝達されることを防止することができる。その結果、高温による印刷回路基板の変形、及び印刷回路基板に装着された部品の故障を防止でき、部品の寿命を延ばすことができる。
【００２０】
また、ポートで発生した熱がシャシーに伝達されることを最小化し、シャシーの変形を防止でき、且つユーザーのテレビへの接触時に不快感を減らすことができる。ポートの熱を最小化するための別途のファンや冷却装置を必要とせず、製造コストの低減、無騒音及び無振動を実現することができる。
【図面の簡単な説明】
【００２１】
【図１】本発明の一実施例に係るテレビの前面を示す斜視図である。
【図２】図１に示したテレビの背面カバーを示す斜視図である。
【図３】本発明の一実施例に係るテレビのシャシー上に配置されている構成要素を示す図である。
【図４】本発明の一実施例に係る印刷回路基板を詳細に示す図である。
【図５Ａ】様々な実施例に係る伝熱部材を示す図である。
【図５Ｂ】様々な実施例に係る伝熱部材を示す図である。
【図５Ｃ】様々な実施例に係る伝熱部材を示す図である。
【図５Ｄ】様々な実施例に係る伝熱部材を示す図である。
【図５Ｅ】様々な実施例に係る伝熱部材を示す図である。
【図６】本発明の他の実施例に係るポートと伝熱部材を示す図である。
【図７】図６におけるポートと伝熱部材がカバー内側に位置している状態を示す断面図である。
【図８】本発明の他の実施例に係る印刷回路基板を詳細に示す図である。
【図９】図８におけるポートと伝熱部材がカバーの内側に位置している状態を示す断面図である。
【図１０】本発明の他の実施例に係る伝熱部材を示す図である。
【図１１】本発明の他の実施例に係る伝熱部材を示す図である。
【図１２】本発明の一実施例に係る付加電子ユニットと本体が分解された状態を示す斜視図である。
【図１３】図１２の付加電子ユニットを示す図である。
【図１４】本発明の他の実施例に係る付加電子ユニットと本体が分解された状態を示す斜視図である。
【図１５】本発明の他の実施例に係る付加電子ユニットを示す図である。
【図１６】本発明の他の実施例に係る付加電子ユニットがテレビ本体から分解された状態を示す図である。
【図１７】本発明の他の実施例に係る付加電子ユニットとテレビの結合関係を示す分解図である。
【発明を実施するための形態】
【００２２】
以下、本発明の実施例を、添付の図面を参照して詳細に説明する。ここでは、スタンド型テレビを例に挙げて説明するが、これに制限されるものではなく、本発明は壁掛け型テレビにも適用可能である。
【００２３】
図１は、本発明の一実施例に係るテレビの前面を示す斜視図であり、図２は、図１に示したテレビの背面カバーを示す斜視図である。
【００２４】
図１及び図２に示すように、本発明の一実施例に係るテレビは、本体１００と、本体１００を支持するスタンド２と、本体１００をスタンド２に固定させるための支持台３と、を備えている。
【００２５】
本体１００は、画像を表示させるディスプレイモジュール（図示せず）、前面カバー１３０及び背面カバー１１０を備えている。本体１００の内部には、ディスプレイモジュール（図示せず）の後方側に配置されて、テレビの動作を制御する印刷回路基板１４０が組み込まれている。前面カバー１３０と背面カバー１１０との間にディスプレイモジュール（図示せず）及び印刷回路基板１４０が配設されている。
【００２６】
また、本体１００の少なくとも一部分には、各種信号が入出力されるように複数のポート１４１，１４２，１４３が設けられている。ポート１４１，１４２，１４３は、印刷回路基板１４０上に側方に向かうように配置されている。背面カバー１１０の側面にはポート１４１，１４２，１４３が側方に向かって露出されるように貫通孔１１１，１１２，１１３が設けられている。ポート１４１，１４２，１４３としてはＵＳＢ端子の他、ＨＤＭＩ端子を含むこともできる。
【００２７】
本発明の一実施例において、付加電子ユニット１０は、本体１００により覆われるように本体１００の後方側に本体１００と平行に配置され、ポート１４１，１４２，１４３に結合されることで本体１００に組み立てられる。このように付加電子ユニット１０がポート１４１，１４２，１４３に結合される構成にすると、本体１００に付加電子ユニット１０の設置のための構成を追加せずとも、付加電子ユニット１０を簡単に本体１００に結合して使用することができる。付加電子ユニット１０と本体１００との結合については後述する。
【００２８】
また、付加電子ユニット１０は、テレビ１の本体１００自体に内蔵された機能の他に、ユーザーが新しく追加された機能をさらに使用できるようにする装置で、ユーザーがテレビを介してインターネットや映像通話を使用できるようにするアップグレードユニットを含むことができる。
【００２９】
図３は、本発明の一実施例に係るテレビのシャシー上に配置された構成要素を示す図である。図３に示すように、シャシー１２０は、駆動部（図示せず）、光学部（図示せず）、スピーカー１２２、印刷回路基板１４０内の各種部品に駆動電力をそれぞれ供給する電源部１２１を備えている。印刷回路基板１４０は、外部の放送信号を信号処理し、外部機器から伝送された映像、サウンド及びアップグレードデータの信号を処理し、それに基づいて駆動部（図示せず）及び光学部（図示せず）を駆動させることができる。また、印刷回路基板１４０内のマイコン（図示せず）の命令に基づいてサウンドを出力するスピーカー１２２を備えることができる。スピーカー１２２は本体の外部に設けられてもよい。
【００３０】
電源部１２１は、外部から供給された交流電力を直流電力に変換し、これを各構成部に必要な電圧レベルに調整して各構成部に供給する。電源部１２１は、ＳＭＰＳ（ｓｗｉｔｃｈｉｎｇ  ｍｏｄｅ  ｐｏｗｅｒ  ｓｕｐｐｌｙ）とすることができる。
【００３１】
印刷回路基板１４０は、チューナー部及び信号処理部をさらに備えることができる。チューナー部は、放送局または衛星から有線または無線で放送信号を受信して復調する。信号処理部は、放送信号を、映像データを有している映像信号、サウンドデータを有しているサウンド信号、付加データを有している付加信号に分離し、分離された映像データの信号及びサウンドデータの信号をそれぞれ信号処理し、付加データをＧＵＩ生成部（図示せず）に伝送する。ここで、付加データは、ＥＰＧ（Ｅｌｅｃｔｒｏｎｉｃ  Ｐｒｏｇｒａｍ  Ｇｕｉｄｅ）を含む。
【００３２】
印刷回路基板１４０内のマイコンは、信号処理部で信号処理された映像データがディスプレイモジュール（図示せず）に表示されるように駆動部（図示せず）及び光源部（図示せず）を制御し、信号処理されたサウンドがスピーカー１２２から出力されるように制御する。
【００３３】
印刷回路基板１４０の一側には、外部の様々なデジタル機器との有線接続のために各種ポート１４１，１４２，１４３が設けられている。
【００３４】
図４は、本発明の一実施例に係る印刷回路基板を詳細に示す図である。図４は、印刷回路基板１４０上に配置されたポート１４１，１４２を詳細に示す図で、便宜上、２つのポートのみを示している。ポート１４１，１４２の少なくとも一部分は、背面カバー１１０の貫通孔１１１，１１２を通して外部に露出される。ポート１４１，１４２が配置されている印刷回路基板１４０は、本体１００の内側に組み込まれる。このように構成することにより、印刷回路基板１４０を保護するとともに、ポート１４１，１４２に各種のコネクター２３０を容易に差し込むことができる。
【００３５】
各ポート１４１，１４２の一面は、印刷回路基板１４０との電気的・機械的な連結により印刷回路基板１４０にそれぞれ接しており、他面は伝熱部材３００にそれぞれ接している。これにより、データ入出力時にそれぞれのポート１４１，１４２から発生した熱が伝熱部材３００を通じて移動してポート１４１，１４２の外部へ放出されることが可能になる。
【００３６】
本発明の一実施例によれば、伝熱部材３００は、伝熱部材３００と接するポート１４１，１４２の接触面に相応する板の形状であるとともに、当該接触面と同じ大きさである第１の接触部３０１を有することができる。伝熱部材３００の第１接触部３０１はそれぞれ複数個のポート１４１，１４２に結合すればよい。すなわち、第１接触部３０１はそれぞれのポート１４１，１４２の一面に接して、各ポートからの熱を外部に伝達することができる。
【００３７】
また、伝熱部材３００は、第１接触部３０１から一定の長さで延在した延長部３０２を有することができる。延長部３０２は、第１接触部３０１と一体に形成されるが、ポート１４１，１４２には接触しない。延長部３０２は、伝熱部材３００の全体的な大きさを増加させることから、伝熱部材３００の熱伝導率を向上させ、ポート１４１，１４２の熱をポート１４１，１４２の外部に伝達することができる。
【００３８】
また、ポート１４１，１４２が複数個設けられる場合には、複数のポート１４１，１４２に接する複数の第１接触部３０１の一端を連結することによって第１接触部３０１を一体化させる延長部をさらに備えてもよい。
【００３９】
図５Ａ〜図５Ｅは、様々な実施例に係る伝熱部材を示す図である。図５Ａに示すように、伝熱部材３００は、熱伝導が可能なアルミニウム（Ａｌ）、銀（Ａｇ）、銅（Ｃｕ）、鉄（Ｆｅ）、タングステン（ｗ）、金（Ａｕ）などのいずれか一金属で形成することができる。これに限定されず、伝熱部材３００は、非金属物質のうち、熱伝達が可能なグラファイトで形成されてもよい。また、伝熱部材３００は熱伝導樹脂で形成されてもよい。
【００４０】
図５Ｂに示すように、伝熱部材３１０は、異なった２種の熱伝達物質が積層して形成されてもよい。例えば、伝熱部材３１０は、熱伝導可能な金属３１２と、該金属に積層された熱伝導可能な非金属３１１と、から形成されてもよい。一例として、伝熱部材３１０は、アルミニウムに炭素物質が積層して形成されてもよい。
【００４１】
また、伝熱部材３１０は、金属または非金属と、金属または非金属に塗布された相変化物質と、で形成されてもよい。
【００４２】
図５Ｃに示すように、伝熱部材３２０は、熱伝導可能なフィルム３２１と、フィルム３２１内に収容された相変化物質３２２と、で形成されてもよい。フィルム３２１は、ＰＥＴからなり、相変化物質３２２を封止できるように構成されている。
【００４３】
図５Ｄに示すように、伝熱部材３３０は、アルミニウムのような金属のコーティング膜３３１をさらに有することもできる。金属のコーティング膜３３１はフィルム３３２の外側面に形成されている。
【００４４】
伝熱部材３３０はカバーに接触して、カバーに伝達された熱の一部が伝達されるようにしてもよい。
【００４５】
相変化物質３３３は、カバー内に収容されてもよい。この場合、カバーは、ポートに接触していてポートから熱が伝達され、該熱を相変化物質３３３を通じて分散させることができる。
【００４６】
伝熱部材３３０は、ポートで発生する電磁波（ＥＭＩ）を遮蔽することもでき、印刷回路基板１４０から放出される熱を放熱することもできる。伝熱部材３３０は電磁波遮蔽可能な物質で構成されてもよい。
【００４７】
図５Ｅに示すように、伝熱部材３００は、ポート１４１，１４２に伝熱部材３００を接着させる接着膜３０３をさらに有してもよい。ここで、接着膜３０３として、サーマルグリース、ギャップパッド及び両面接着テープのうち少なくとも一つを用いることができる。
【００４８】
接着膜３０３を両面接着テープとした場合に、両面接着テープにてポート１４１，１４２に伝熱部材３００を接着させることができる。両面接着テープは熱伝導性物質で形成することができる。
【００４９】
図６は、本発明の他の実施例に係るポート及び伝熱部材を示す図であり、図７は、図６に示したポート及び伝熱部材がカバーの内側に配置された状態を示す断面図である。
【００５０】
図６に示すように、ポート１４１は、ハウジング１４１ａと、ハウジング１４１ａ内に設けられ、コネクター２３０に挿入される接続部１４１ｂと、を備えている。また、ポート１４１は、接続部１４１ｂ内に設けられるとともに、外部に露出されてコネクター２３０内のピンと接触する複数のピン１４１ｃと、ハウジング１４１ａ内へ突出しており、挿入されたコネクター２３０を固定させる固定部１４１ｄと、ハウジング１４１ａから外側方向に一部突出してハウジング１４１ａが印刷回路基板１４０に機械的に装着されるようにする装着部１４１ｅと、を備えることができる。
【００５１】
ハウジング１４１ａは、印刷回路基板１４０に接する第１の面、第１の面に向かい合う第２の面、及び第１及び第２の面の両端から垂直方向に延びて第１の面と第２の面とを連結する第３及び第４の面を有している。
【００５２】
また、ハウジング１４１ａの一側には、コネクター２３０が挿入される溝が形成されており、溝の形成された面に向かい合う面から複数のピン１４１ｃが外部に突出している。複数のピン１４１ｃは印刷回路基板１４０に電気的に接続する。
【００５３】
伝熱部材３４０は、ポート１４１の形状に相応する形状に設けられる。すなわち、伝熱部材３４０は、コネクター２３０及び印刷回路基板１４０と関わっていない面、すなわち、ハウジング１４１ａの第２、第３及び第４の面に対応する形状になっている。一例として、伝熱部材３４０は、両端が折り曲がった
（外１）
0006271131.tif 000002
状を有し、ハウジング１４１ａの第２、第３及び第４面の大きさに対応する大きさを有する第１の挿入部３４２を備えている。
【００５４】
第１の挿入部３４２は、ポート１４１が挿入されうるように、ポート１４１の大きさに対応する収容溝２２５を有している。収容溝２２５にポート１４１が挿入されることで、伝熱部材である第１の挿入部３４２がポート１４１の第２、第３及び第４面に接しながら、ポート１４１の第２、第３の、第４の面と第１の挿入部３４２とが結合される。すなわち、第１の挿入部３４２は、収容溝２２５に挿入されたポート１４１の３つの外面を包み、ポート１４１の３つの外面から熱が伝達される。
【００５５】
また、伝熱部材３４０は、第１の挿入部３４２から延びた延長部３４１を備えることができる。延長部３４１は、ポート１４１の第２の面が接する第１の挿入部３４２の面の高さａ１よりも大きい高さａ２を有し、ポート１４１の第２の面が接するポート１４１の面の一側縁から横方向に延在している。すなわち、ポート１４１の第２の面が接する面の横長ｂ１から一定の長さｂ２だけさらに延びた板状となっている。延長部３４１は、第１の挿入部３４２に伝達されたポートの熱を分散させて伝達することによって熱伝導率を向上させる。
【００５６】
なお、伝熱部材の収容溝に複数個のポートが収容されるように挿入部が設けられてもよい。挿入部の大きさは、複数個のポートを収容できるように、複数個のポートの第２の面の面積及び複数個のポート間の距離に対応する面積にする。複数個のポートの大きさに対応する収容溝が挿入部に設けられると、複数個のポートが共に挿入され、これら複数個のポートの外側面に挿入部が接しながら複数個のポートと挿入部とが結合される。
【００５７】
図７に示すように、伝熱部材３４０は印刷回路基板１４０と一定の距離離れており、伝熱部材３４０と印刷回路基板１４０との間にポート１４１が配置されて印刷回路基板１４０と対面する。また、伝熱部材３４０はカバー１１０と一定の距離離れて配置されている。
【００５８】
伝熱部材３４０は、ポート１４１の熱が伝達され、該ポート１４１からの熱を分散させることにより、ポート１４１の熱が印刷回路基板１４０に伝達されることを防ぎ、カバー１１０に伝達されることを防止することができる。これにより、ユーザーのテレビへの接触時に不快感を最小化することができる。
【００５９】
また、伝熱部材３４０の延長部３４１を通じてポート１４１の熱をより広い範囲に分散させることができ、カバー１１０への熱の伝達を最小化することができる。
【００６０】
図８は、本発明の他の実施例に係る印刷回路基板を詳細に示す図であり、図９は、図８におけるポート及び伝熱部材がカバーの内側に配置された状態を示す断面図である。
【００６１】
図８及び図９に示すように、伝熱部材３４０は、複数のポート１４１，１４２で発生した熱が同時に伝達される第２の接触部３４３を有することができる。
【００６２】
第２の接触部３４３は、一定の距離離れて配置された複数のポート１４１，１４２の接触面に共通に接することができる。このように、複数のポート１４１，１４２の熱を伝達する伝熱部材が一体に形成されると、複数のポート１４１，１４２のいずれか一方を介してのみデータを入出力する場合に、第１の接触部３０１（図４参照）に比べてより大きい面積を通じて熱を伝達することができる。
【００６３】
なお、いずれか一方のポート１４１から発生した熱を第２の接触部３４３を通して伝達すると同時に、第２の接触部３４３に伝達された熱の一部を他方のポート１４２のハウジングに伝達して他方のポート１４２を通しても熱を放出でき、熱伝導率を最大化し、データの入出力されるポート１４１で発生する熱を最小化することができる。
【００６４】
また、背面カバー１１０は、伝熱部材３４０である第２の接触部３４３で発生した熱を外部に放出するための孔１１４をさらに有することができる。
【００６５】
図１０は、本発明の他の実施例に係る伝熱部材を示す図である。図１０に示すように、伝熱部材３５０は、互いに一定の距離離れて設けられた複数のポート１４１，１４２を同時に収容できる構成となっている。同図の伝熱部材３５０は、複数個のポート１４１，１４２がそれぞれ収容される複数個の収容溝３５４を有する第２の挿入部３５１を備えることができる。
【００６６】
第２の挿入部３５１は、両端が折り曲がって
（外２）
0006271131.tif 000003
状に形成されるとともに、内部空間がパーテーションにより複数個に分割され、これにより、第２の挿入部３５１の内部に複数個の収容溝３５４が形成される。そのため、伝熱部材３５０の内側に複数個のポート１４１，１４２をそれぞれ挿入することができる。
【００６７】
第２の挿入部３５１の内部に形成された複数個の収容溝３５４の大きさは、それぞれ、ポート１４１，１４２の大きさに対応する。第２の挿入部３５１の各収容溝３５４に複数個のポート１４１，１４２がそれぞれ挿入されると、複数個のポート１４１，１４２の外側面に第２の挿入部３５１が接しながら複数個のポート１４１，１４２と第２の挿入部３５１とが結合される。
【００６８】
伝熱部材３５０は、第２の挿入部３５１に加えて、第２の挿入部３５１からそれぞれ一定の長さだけ延びた延長部３５２，３５３をさらに有することができる。延長部３５２，３５３は、第１の延長部３５２及び第２の延長部３５３を有することができる。第１の延長部３５２は、複数個のポート１４１，１４２の外側面を包むように折り曲がった第２の挿入部３５１の両側縁から延在している部分であり、板状になっている。第２の延長部３５３は、第２の挿入部３５１の一側から、第１の延長部３５２の形成されていない方向に延在している部分である。すなわち、同図のように、第１の延長部３５２及び第２の延長部３５３の両方が形成される場合には、第２の挿入部３５１の周縁のうち、溝にコネクター２３０が挿入される方向の側縁を除いた残り方向の側縁に延長部が設けられる。第１の延長部３５２及び第２の延長部３５３により、複数個のポート１４１，１４２で発生した熱を複数の方向に伝達することができ、熱伝導率をより向上させることができる。
【００６９】
図１１は、本発明の他の実施例に係る伝熱部材を示す図である。図１１に示すように、伝熱部材３６０は、複数の第３の挿入部３６１と、複数の第３の挿入部３６１から延在するとともに、複数の第３の挿入部３６１を連結する延長部３６２と、を備えている。
【００７０】
それぞれの第３の挿入部３６１は、一つのポートが挿入される収容溝３６３を有している。収容溝３６３に一つのポートが挿入されることで第３の挿入部３６１とポートとが結合され、第３の挿入部３６１がポートから伝達される熱を外部に放出する。各収容溝３６３に一つのポートが挿入されることによって、伝熱部材３６０である第３の挿入部３６１がポートの第２、第３、第４面に接することとなる。ここで、第３の挿入部３６１は、収容溝３６３に挿入されたポートの３つの外面を包むから、ポートの３面から熱が伝達される。
【００７１】
複数の第３の挿入部３６１は、複数個のポート間の隔離距離に対応して互いに離れており、互いに離れている複数の第３の挿入部３６１は、その一側端に装着される延長部３６２により連結されている。延長部３６２は、複数の第３の挿入部３６１の高さ方向に両側に延在して、複数の第３の挿入部３６１の高さよりも長く形成されており、且つ複数の第３の挿入部３６１の一側から横方向に延在している板状になっている。延長部３６２は、複数の第３の挿入部３６１に伝達されたポートの熱を伝達することによって熱伝導率を向上させる。このような伝熱部材３６０は、ポートの他、電子部品に接することもできる。この場合、伝熱部材３６０は電子部品の熱を伝達することもできる。また、伝熱部材３６０は、ポート、電子部品の両方に接して、ポート、電子部品の両方の熱を外部に同時に伝達することも可能である。
【００７２】
図１２は、本発明の一実施例に係る付加電子ユニットと本体が分解された状態を示す斜視図であり、図１３は、本発明の一実施例に係る付加電子ユニットを示す図である。
【００７３】
図１２及び図１３に示すように、付加電子ユニット１０は、付加電子ユニット１０の動作を制御する印刷回路基板などを有している胴部１１と、胴部１１から延突しているネック部１２と、ネック部１２の先端に設けられ、貫通孔１１１，１１２，１１３に差し込まれてポート１４１，１４２，１４３と結合する結合突起１３と、を備えている。胴部１１の一側には、付加電子ユニット１０への信号入出力のための複数の付加ポート１１ａが設けられている。
【００７４】
本発明の一実施例では、貫通孔１１１，１１２，１１３が本体１００の側方に向かって配置されている。そのため、付加電子ユニット１０が本体１００の後方側に本体１００と平行に配置されるように、付加電子ユニット１０のネック部１２は胴部１１の一側端から前方側にＬ字状に突延している。これにより、ネック部１２の先端に設けられた結合突起１３が本体１００の貫通孔１１１，１１２，１１３に結合することができる。
【００７５】
結合突起１３には、付加電子ユニット１０をポート１４１，１４２，１４３に電気的に接続させられる接続部１３ａが設けられている。これにより、結合突起１３は、付加電子ユニット１０を本体１００に結合させる役割に加えて、付加電子ユニット１０をポート１４１，１４２を通じて本体１００内の印刷回路基板１４０に電気的に接続させる役割も果たすことができる。
【００７６】
本発明の一実施例では結合突起１３及びネック部１２がそれぞれ一つずつ設けられているとしたが、これに限定されるわけではない。付加電子ユニットが一定の重さを超える場合には、付加電子ユニットの胴部から一対のネック部が並んで突延し、且つ両ネック部の先端にそれぞれ結合突起が設けられて、それぞれのポートにそれぞれの結合突起が結合されるようにすることによって、付加電子ユニットの重さが２つのポートに分散して支持されるようにしてもよい。
【００７７】
また、本実施例では、ポート１４１，１４２，１４３が本体１００の側方に向かって配置され、付加電子ユニット１０のネック部１２は胴部１１の一側端から前方にＬ字状に突延しているとしたが、これに限定されるわけではない。例えば、ポートが本体１００の後方に向かって配置され、付加電子ユニットのネック部は胴部の下端から前方に突延している構成も可能である。
【００７８】
図１４は、本発明の他の実施例に係る付加電子ユニットと本体が分解された状態を示す斜視図である。図１４に示す実施例によれば、本体１００への付加電子ユニット２０の結合は、付加電子ユニット２０とは別途の部材である弾持部材３０を介してなされる。弾持部材３０は、付加電子ユニット２０を本体１００の背面に加圧して、付加電子ユニット２０が本体１００の背面に支持された状態で使用されるようにする。弾持部材３０は、本体１００に付加ユニット２０を結合させる結合部材の一種である。
【００７９】
付加電子ユニット２０は弾持部材３０により本体１００の背面に密着され、弾持部材３０は本体１００の貫通孔１１１，１１２，１１３に結合される。付加電子ユニット２０が弾持部材３０により本体１００の背面に支持されるため、本体１００に孔を穿設するような作業を行うことなく付加電子ユニット２０を簡単に本体１００の背面に密着させて使用することができる。
【００８０】
弾持部材３０は、付加電子ユニット２０を加圧して支持する加圧部３１と、加圧部３１から突延しているネック部３２と、ネック部３２の先端に設けられてポート１４１，１４２，１４３に結合される結合突起３３と、を備えている。
【００８１】
本実施例で、加圧部３１は弾性変形可能な材質で形成されて、付加電子ユニット２０に力を加えることができ、結合突起３３が貫通１１１，１１２，１１３に結合した状態での本体１００の背面カバー１１０と加圧部３１との間隔は、付加電子ユニット２０の厚さよりも狭くする。したがって、付加電子ユニット２０を本体１００の背面カバー１９０と加圧部３１との間に挟むと、加圧部３１が弾性変形し、加圧部３１に作用する弾性復原力が付加電子ユニット２０を本体１００の背面カバー１１０の方向に加圧し、これにより、付加電子ユニット２０は本体１００の背面に支持された状態を維持することができる。
【００８２】
付加電子ユニット２０が本体１００の後方側に本体１００と平行に配置されるように、弾持部材３０のネック部３２は加圧部３１の一側端から前方側にＬ字状に延突している。これにより、ネック部３２の先端に設けられた結合突起３３がポート１４１，１４２，１４３に結合することができる。
【００８３】
弾持部材３０の結合突起３３には付加電子ユニット２０をポート１４１，１４２，１４３に電気的に接続させる接続部（図示せず）が設けられ、弾持部材３０は接続部（図示せず）を介して本体１００内の印刷回路基板１４０に電気的に接続することができる。弾持部材３０のネック部３２には、付加電子ユニット２０への信号入出力のための付加ポート３２ａが設けられて、弾持部材３０の結合突起３３が結合されたポート１４１，１４２，１４３を代替することもできる。
【００８４】
これにより、弾持部材３０は、付加電子ユニット２０が本体１００の背面に配置された状態を維持できるようにする役割の他、一種のハブの役割を果たすこともできる。
【００８５】
本発明の一実施例では、弾持部材３０には一つの結合突起３３が設けられているとしたが、これに限定されず、複数のポート１４１，１４２，１４３にそれぞれ結合される複数の結合突起３３が弾持部材３０に形成されていてもよい。
【００８６】
図１５は、本発明の他の実施例に係る付加電子ユニットを示す図である。同図の実施例では、付加電子ユニット２０を本体１００に結合させるために取り付けブラケット４０を用いている。付加電子ユニット２０は、取り付けブラケット４０を介して本体１００に結合される。取り付けブラケット４０は、本体１００に付加ユニット２０を結合させるための結合部材の一種である。
【００８７】
取り付けブラケット４０は、付加電子ユニット２０が収容される収容部４１と、収容部４１から突延しているネック部４２と、ネック部４２の先端に設けられて、ポート１４１，１４２，１４３に結合される結合突起４３と、を備えている。
【００８８】
本実施例において収容部４１は、互いに対面する一対のガイドスロット４１ａを有しており、これらのガイドスロット４１ａの間に付加電子ユニット２０が上下に移動可能に設置される。ここで、付加電子ユニット２０は収容部４１に分離可能に設置される。
【００８９】
ネック部４２の形状、結合突起４３に設けられた接続部４３ａ、及び付加ポート４１ｂについては、図１２乃至図１４に示した実施例と同一であるため、説明を省略する。
【００９０】
また、本実施例では取り付けブラケット４０に一つの結合突起４３が設けられているとしたが、これに限定されず、複数のポート１４１，１４２，１４３にそれぞれ結合される複数の結合突起４３が取り付けブラケット４０に形成されていてもよい。
【００９１】
図１６は、本発明の他の実施例に係る付加電子ユニットがテレビ本体から分解された状態を示す図である。同図の実施例では、付加電子ユニット５０の背面に結合突起５１が設けられている。また、ポートが位置している貫通孔１１１は、背面カバー１１０の前面に配置されている。そのため、貫通孔１１１は本体１００の背面に配置され、貫通孔１１１の内側にポートが配置されているため、ポートの一部分が外側に露出される。ポートが本体１００の背面に位置しているため、付加電子ユニット５０は、他の実施例とは違い、付加電子ユニットを本体１００の側面に結合させるためのネック部のような構成要素を必要としない。
【００９２】
また、付加電子ユニット５０の一側には、結合突起５１とは別個に突出部５２が設けられていてもよい。突出部５２は結合突起５１に隣接して設けられて、結合突起５１と本体１００との着脱をガイドすることができる。すなわち、突出部５２は、弾性変形可能な材質で形成されており、弾性変形しつつ、突出部５２を介して付加電子ユニット５０が本体１００に対して容易に分離または結合されるようにする。同図の実施例では、突出部５２が結合突起５１の上側に設けられている。
【００９３】
本実施例によれば、付加電子ユニット５０に結合突起５１が一体に設けられているため、簡単な構成で付加電子ユニット５０を本体１００に対して結合または分離させることができる。また、結合部の構成も、他の実施例に比べて簡単であるという利点がある。
【００９４】
図１７は、本発明の他の実施例に係る付加電子ユニットとテレビとの結合関係を示す分解図である。図１７に示すように、付加電子ユニット７０は本体１００に締結部材８０，９０により結合されてもよい。締結部材８０，９０は、第１の締結部材９０及び第２の締結部材８０を有する。第１の締結部材９０と第２の締結部材８０は互いに雌雄の関係を有することができる。すなわち、第２の締結部材８０が第１の締結部材９０に締結されるようになっている。
【００９５】
そのために、第１の締結部材９０は、ボディー部９２及びヘッド部９１を有し、ヘッド部９１には、第２の締結部材８０が結合されるように第１の締結溝９３が設けられている。ヘッド部９１は、ボディー部９２から延在しており、ボディー部９２から外側に突出した形状になっている。第２の締結部材８０も、ボディー部及びヘッド部を有することができる。ただし、第２の締結部材８０は、第１の締結部材９０の締結溝のような構成を有する必要はない。このような構成により、第１の締結部材９０の第１の締結溝９３に第２の締結部材８０が結合される。
【００９６】
同図では、前面カバー１３０に設けられた第１の結合溝１３２に第２の締結部材９０が結合される構成としたが、これに制限されず、第１の結合溝と前面カバーとを一体に射出成形してもよい。
【００９７】
印刷回路基板１４０には、第１の締結部材９０が締結されるように少なくとも一つの印刷回路基板結合孔１４４が設けられている。前面カバー１３０には、第１の締結部材９０の結合のための少なくとも一つの第１の結合溝１３２が設けられている。第１の締結部材９０は第１の結合溝１３２を介して前面カバー１３０に結合される。背面カバー１１０と前面カバー１３０との間に印刷回路基板１４０が配置される場合には、第１の締結部材９０のボディー部９２の一端が印刷回路基板結合孔１４４を挿通して第１の結合溝１３２に結合される。したがって、第１の締結部材９０のヘッド部９１は印刷回路基板１４０の外側に突出し、よって、背面カバー１１０と前面カバー１３０との間に第１の締結部材９０が位置することとなる。
【００９８】
背面カバー１１０には、第２の締結部材８０が締結される少なくとも一つの背面カバー結合孔１１２が形成されている。また、付加電子ユニット７０には、第２の締結部材８０が締結される少なくとも一つの第２の結合孔７１が設けられている。したがって、第２の締結部材８０は、付加電子ユニット７０の第２の結合孔７１に挿入され、続いて背面カバー１１０の背面カバー結合孔１１２を挿通して第１の締結部材９０の第１の締結溝９３に結合される。
【００９９】
同図では第１の締結部材９０と第２の締結部材８０がそれぞれ４個挿入されるとしたが、これに制限されず、少なくとも一つの第１の締結部材と第２の締結部材が挿入されればいい。また、第１の結合溝、印刷回路基板結合孔、前面カバー結合溝、背面カバー結合孔、第２の結合孔も、第１の締結部材、第２の締結部材の数に対応して少なくとも一つ設けられればいい。
【０１００】
第１の締結部材９０が本体１００の内側に位置しているため、付加電子ユニット７０を本体１００に結合させる場合には、第２の締結部材８０を用いて付加電子ユニット７０を結合させることができる。特に、第１の締結部材９０のヘッド部９１に第１の締結溝９３が設けられているため、付加電子ユニット７０を本体１００に安定して結合させることが可能である。
【０１０１】
これにより、テレビ内部の構造を変えることなく、スクリューのような締結部材を用いて付加電子ユニット７０をテレビに結合させることが可能になる。また、付加電子ユニット７０の位置する空間以外は別途の空間を必要とせず、空間を效率的に用いることができる。
【０１０２】
同図の実施例では２個の締結部材を使用しているとしたが、これに制限されるものではなく、３個の締結部材を使用することも可能である。この場合には、第１の締結部材及び第２の締結部材だけでなく、第２の締結部材及び第３の締結部材も互いに雌雄の関係にある。すなわち、第３の締結部材が第２の締結部材に締結される。この場合、第１の締結部材は第２の締結部材に対して雌ねじに相当し、第２の締結部材は第１の締結部材に対して雌ねじに相当する。第２の締結部材は第３の締結部材に対して雌ねじに相当し、第３の締結部材は第２の締結部材に対して雄ねじに相当する。
【０１０３】
締結部材の他、付加電子ユニットは磁気体により本体の一部分に結合されてもよい。また、付加電子ユニットは付着式接着剤、両面テープのような接着手段により本体に結合されてもよい。
【０１０４】
以上、特定の実施例について図示及び説明してきたが、これらの実施例に限定されず、発明の属する技術の分野における通常の知識を有する者には、添付の特許請求の範囲に記載された発明の技術的思想の要旨から逸脱することなく様々な変更実施が可能であろう。
【符号の説明】
【０１０５】
１      テレビ
１０，２０，５０，７０  付加電子ユニット
３０    弾持部材
４０    取り付けブラケット
１１０  背面カバー
１１１，１１２，１１３    貫通孔
１３０  前面カバー
１４０  印刷回路基板
１４１，１４２，１４３  ポート
３００，３１０，３２０，３３０，３４０，３５０，３６０  伝熱部材
【図１】
0006271131.tif 000004
【図２】
0006271131.tif 000005
【図３】
0006271131.tif 000006
【図４】
0006271131.tif 000007
【図５Ａ】
0006271131.tif 000008
【図５Ｂ】
0006271131.tif 000009
【図５Ｃ】
0006271131.tif 000010
【図５Ｄ】
0006271131.tif 000011
【図５Ｅ】
0006271131.tif 000012
【図６】
0006271131.tif 000013
【図７】
0006271131.tif 000014
【図８】
0006271131.tif 000015
【図９】
0006271131.tif 000016
【図１０】
0006271131.tif 000017
【図１１】
0006271131.tif 000018
【図１２】
0006271131.tif 000019
【図１３】
0006271131.tif 000020
【図１４】
0006271131.tif 000021
【図１５】
0006271131.tif 000022
【図１６】
0006271131.tif 000023
【図１７】
0006271131.tif 000024